(57)【要約】      （修正有）【課題】各スイッチング素子を確実に保護することが可能な共振型昇降圧コンバータ制御装置を提供する。【解決手段】共振型昇降圧コンバータ制御装置１は、第１のスイッチング素子対Ｑ１、Ｑ２と、第１のスイッチング素子対Ｑ１、Ｑ２に接続されたコンデンサＣ１，Ｃ２及びリアクトルＬ１、Ｌ２を含む共振回路と、コンデンサＣ１、Ｃ２に蓄積された電荷を放電する第２のスイッチング素子対Ｑ３、Ｑ４とを有する共振型昇降圧コンバータ１０と、共振型昇降圧コンバータ１０の第１のスイッチング素子対Ｑ１、Ｑ２及び第２のスイッチング素子対Ｑ３、Ｑ４を制御する制御手段２０とを有し、制御手段２０は第２のスイッチング素子対Ｑ３、Ｑ４が動作中であると判定した場合には、第１のスイッチング素子対Ｑ１、Ｑ２及び第２のスイッチング素子対Ｑ３、Ｑ４の全ての動作を停止する制御信号を生成しないことを要件とする。【選択図】図１
2010161903.tif 000002
【特許請求の範囲】
【請求項１】
第１のスイッチング素子対と、前記第１のスイッチング素子対に接続されたコンデンサ及びリアクトルを含む共振回路と、前記コンデンサに蓄積された電荷を放電する第２のスイッチング素子対と、を有する共振型昇降圧コンバータと、
前記共振型昇降圧コンバータの前記第１のスイッチング素子対及び前記第２のスイッチング素子対を制御する制御手段と、を有し、
前記制御手段は、前記第２のスイッチング素子対が動作中であるか否かを判定する判定部と、前記第１のスイッチング素子対及び前記第２のスイッチング素子対に供給する制御信号を生成する制御信号生成部と、を含んで構成され、
前記制御信号生成部は、前記判定部が「前記第２のスイッチング素子対が動作中である」と判定した場合には、前記第１のスイッチング素子対及び前記第２のスイッチング素子対の全ての動作を停止する制御信号を生成しない共振型昇降圧コンバータ制御装置。
【発明の詳細な説明】
【技術分野】
【０００１】
本発明は、共振型昇降圧コンバータ、及び共振型昇降圧コンバータを構成するスイッチング素子を制御する制御手段、を有する共振型昇降圧コンバータ制御装置に関する。
【背景技術】
【０００２】
従来から、第１のハイサイド側スイッチング素子及び第１のローサイド側スイッチング素子を含む第１のスイッチング素子対と、第１のスイッチング素子対に接続されたコンデンサ及びリアクトルを含む共振回路と、コンデンサに蓄積された電荷を放電する第２のハイサイド側スイッチング素子及び第２のローサイド側スイッチング素子を含む第２のスイッチング素子対とを有する共振型昇降圧コンバータが知られている。
【０００３】
このような、共振型昇降圧コンバータでは、各スイッチング素子が動作中であるか否かを判定することなく、全てのスイッチング素子の動作を停止する場合がある。
【先行技術文献】
【特許文献】
【０００４】
【特許文献１】特開２０００−３７０８１号公報
【特許文献２】特開平０７−２２２４４４号公報
【特許文献３】特開２００８−１１３４７３号公報
【特許文献４】特開２００８−１９９７３６号公報
【発明の概要】
【発明が解決しようとする課題】
【０００５】
しかしながら、各スイッチング素子が動作中であるか否かを判定することなく、全てのスイッチング素子の動作を停止すると、停止するタイミングによってはスイッチング素子に耐圧を超える高電圧が印加される場合があり、スイッチング素子が破壊に至るという問題があった。
【０００６】
上記の点に鑑みて、各スイッチング素子を確実に保護することが可能な共振型昇降圧コンバータ制御装置を提供することを課題とする。
【課題を解決するための手段】
【０００７】
本共振型昇降圧コンバータ制御装置は、第１のスイッチング素子対と、前記第１のスイッチング素子対に接続されたコンデンサ及びリアクトルを含む共振回路と、前記コンデンサに蓄積された電荷を放電する第２のスイッチング素子対と、を有する共振型昇降圧コンバータと、前記共振型昇降圧コンバータの前記第１のスイッチング素子対及び前記第２のスイッチング素子対を制御する制御手段と、を有し、前記制御手段は、前記第２のスイッチング素子対が動作中であるか否かを判定する判定部と、前記第１のスイッチング素子対及び前記第２のスイッチング素子対に供給する制御信号を生成する制御信号生成部と、を含んで構成され、前記制御信号生成部は、前記判定部が「前記第２のスイッチング素子対が動作中である」と判定した場合には、前記第１のスイッチング素子対及び前記第２のスイッチング素子対の全ての動作を停止する制御信号を生成しないことを要件とする。
【発明の効果】
【０００８】
本発明によれば、各スイッチング素子を確実に保護することが可能な共振型昇降圧コンバータ制御装置を提供することができる。
【図面の簡単な説明】
【０００９】
【図１】本実施形態に係る共振型昇降圧コンバータ制御装置を例示する回路図である。
【図２】ゲート信号制御部の内部を例示するブロック図である。
【図３】ゲート信号制御部が生成するゲート信号とステータスとの関係を例示する図である。
【発明を実施するための形態】
【００１０】
以下、図面を参照して、本発明を実施するための形態の説明を行う。
【００１１】
図１は、本実施形態に係る共振型昇降圧コンバータ制御装置を例示する回路図である。図１を参照するに、共振型昇降圧コンバータ制御装置１は、共振型昇降圧コンバータ１０と、制御手段２０とを有する。
【００１２】
共振型昇降圧コンバータ１０は、スイッチング素子Ｑ１と、スイッチング素子Ｑ２と、スイッチング素子Ｑ３と、スイッチング素子Ｑ４と、ダイオードＤ１と、ダイオードＤ２と、ダイオードＤ３と、ダイオードＤ４と、リアクトルＬ１と、リアクトルＬ２と、リアクトルＬｒと、コンデンサＣ１と、コンデンサＣ２と、コンデンサＣ３と、コンデンサＣ４とを有する。
【００１３】
スイッチング素子Ｑ１、スイッチング素子Ｑ２、スイッチング素子Ｑ３、及びスイッチング素子Ｑ４は、例えば絶縁ゲート型バイポーラ・トランジスタ（ＩＧＢＴ）である。絶縁ゲート型バイポーラ・トランジスタ（ＩＧＢＴ）は、ゲートにＭＯＳＦＥＴを組み込んだバイポーラ・トランジスタでありエミッタ、コレクタ及びゲートの３端子を備えている。
【００１４】
スイッチング素子Ｑ１及びスイッチング素子Ｑ２は、本発明における第１のスイッチング素子対の代表的な一例を構成している。又、リアクトルＬ１、リアクトルＬ２、リアクトルＬｒ、コンデンサＣ１、及びコンデンサＣ２は、本発明における共振回路の代表的な一例を構成している。又、スイッチング素子Ｑ３及びスイッチング素子Ｑ４は、本発明における第２のスイッチング素子対の代表的な一例を構成している。
【００１５】
共振型昇降圧コンバータ１０において、スイッチング素子Ｑ１のエミッタは、スイッチング素子Ｑ２のコレクタ、ダイオードＤ１のアノード、ダイオードＤ２のカソード、コンデンサＣ１の一端、コンデンサＣ２の一端、リアクトルＬ１の一端、及びリアクトルＬ２の一端に接続されている。スイッチング素子Ｑ１のコレクタは、ダイオードＤ１のカソード、コンデンサＣ１の他端、スイッチング素子Ｑ３のコレクタ、及びコンデンサＣ４の一端に接続されている。
【００１６】
なお、リアクトルＬ２はリアクトルＬ１と電磁的に結合されている。リアクトルＬｒはリアクトルＬ２のリーケージインダクタンスである。リアクトルＬ１とコンデンサＣ３との接続点と、リアクトルＬ１とリアクトルＬ２との接続点とは、同極性で起電力が誘起される。電磁的結合とは、リアクトルＬ１とリアクトルＬ２とでトランスを構成する場合等である。
【００１７】
スイッチング素子Ｑ２のエミッタ、ダイオードＤ２のアノード、コンデンサＣ２の他端、ダイオードＤ４のカソード、及びコンデンサＣ４の他端は、基準電位Ｇに接続されている。リアクトルＬ１の他端はコンデンサＣ３の一端に接続され、コンデンサＣ３の他端は基準電位Ｇに接続されている。
【００１８】
リアクトルＬ２の他端はリアクトルＬｒの一端に接続され、リアクトルＬｒの他端はダイオードＤ３のカソード、及びスイッチング素子Ｑ４のコレクタに接続されている。スイッチング素子Ｑ３のエミッタは、ダイオードＤ３のアノードに接続されている。スイッチング素子Ｑ４のエミッタは、ダイオードＤ４のアノードに接続されている。ＶＬはコンデンサＣ３の両端の電圧を、ＶＨはコンデンサＣ４の両端の電圧を示している。ＩＬはリアクトルＬ１に流れる電流を示している。
【００１９】
スイッチング素子Ｑ１のゲート、スイッチング素子Ｑ２のゲート、スイッチング素子Ｑ３のゲート、及びスイッチング素子Ｑ４のゲートは、後述する制御手段に接続されており、後述する制御手段から所定のタイミングでスイッチングする制御信号（ゲート信号）が入力される。
【００２０】
なお、スイッチング素子Ｑ１及びＱ３をハイサイド側スイッチング素子と、スイッチング素子Ｑ２及びＱ４をローサイド側スイッチング素子と称する場合がある。ハイサイド側スイッチング素子とは高電位側（例えば電源）に接続されるスイッチング素子であり、ローサイド側スイッチング素子とは低電位側（例えばＧＮＤ）に接続されるスイッチング素子である。
【００２１】
共振型昇降圧コンバータ１０は、後述する制御手段２０からの指令によりスイッチング素子Ｑ１〜Ｑ４が所定のタイミングでオン／オフすることにより、コンデンサＣ３の両端に印加される直流電圧を所定の直流電圧に変換（昇圧）してコンデンサＣ４の両端から出力する機能を有する。
【００２２】
より詳しく説明すると、スイッチング素子Ｑ１がオフ、スイッチング素子Ｑ２がオンになると、コンデンサＣ３側からリアクトルＬ１に電流ＩＬが流れ、リアクトルＬ１は電気エネルギーを一時的に蓄積する。次いで、スイッチング素子Ｑ１がオン、スイッチング素子Ｑ２がオフになると、リアクトルＬ１が一時的に蓄積した電気エネルギーは、還流用のダイオードＤ１（フライホイールダイオード）を経由してコンデンサＣ４側に流れる。すなわち、コンデンサＣ３の両端の電圧ＶＬは、電圧ＶＨに昇圧されてコンデンサＣ４の両端から出力される。
【００２３】
ところで、コンデンサＣ２に電荷が蓄積されている状態でスイッチング素子Ｑ２がオンになるとスイッチング損失が発生する。そこで、スイッチング素子Ｑ２がオンになる数μｓ前にスイッチング素子Ｑ４をオンにし、コンデンサＣ２に蓄積されている電荷をリアクトルＬ２、リアクトルＬｒ、スイッチング素子Ｑ４、及びダイオードＤ４を介して放電させる。このとき、スイッチング素子Ｑ４には共振電流が流れる。コンデンサＣ２に蓄積されている電荷が全て放電し、スイッチング素子Ｑ２の両端電圧がゼロになったときにスイッチング素子Ｑ２をオンにすれば、スイッチング損失を大幅に低減（理論的にはゼロ）することができる。なお、ダイオードＤ４は、電流の逆流を防止するために設けられている。
【００２４】
又、共振型昇降圧コンバータ１０は、後述する制御手段２０からの指令によりスイッチング素子Ｑ１〜Ｑ４が所定のタイミングでオン／オフすることにより、コンデンサＣ４の両端に印加される直流電圧を所定の直流電圧に変換（降圧）してコンデンサＣ３の両端から出力する機能を有する。
【００２５】
より詳しく説明すると、スイッチング素子Ｑ１がオン、スイッチング素子Ｑ２がオフになると、コンデンサＣ４側からリアクトルＬ１に電流が流れ、リアクトルＬ１は電気エネルギーを一時的に蓄積する。次いで、スイッチング素子Ｑ１がオフ、スイッチング素子Ｑ２がオンになると、リアクトルＬ１が一時的に蓄積した電気エネルギーは、還流用のダイオードＤ２（フライホイールダイオード）を経由して還流する。すなわち、コンデンサＣ４の両端の電圧ＶＨは、電圧ＶＬに降圧されコンデンサＣ３の両端から出力される。
【００２６】
ところで、コンデンサＣ１に電荷が蓄積されている状態でスイッチング素子Ｑ１がオンになるとスイッチング損失が発生する。そこで、スイッチング素子Ｑ１がオンになる数μｓ前にスイッチング素子Ｑ３をオンにし、コンデンサＣ１に蓄積されている電荷をスイッチング素子Ｑ３、及びダイオードＤ３、リアクトルＬ２、リアクトルＬｒを介して放電させる。このとき、スイッチング素子Ｑ３には共振電流が流れる。コンデンサＣ１に蓄積されている電荷が全て放電し、スイッチング素子Ｑ１の両端電圧がゼロになったときにスイッチング素子Ｑ１をオンにすれば、スイッチング損失を大幅に低減（理論的にはゼロ）することができる。なお、ダイオードＤ３は、電流の逆流を防止するために設けられている。
【００２７】
このように、共振型昇降圧コンバータ１０は、昇圧時及び降圧時のスイッチング損失を大幅に低減（理論的にはゼロ）することができる。更に、スイッチング損失の大幅な低減により、キャリア周波数を高くすることができる。共振型昇降圧コンバータ１０において、キャリア周波数を高くすることができれば、リアクトルＬ１を小さくすることができるため、共振型昇降圧コンバータ１０の小型化やコスト低減を実現するとことができる。
【００２８】
又、キャリア周波数を可聴帯域外まで高く（例えば２０ＫＨｚ）することにより、スイッチング時の高周波ノイズ（例えば１０ＫＨｚ）が発生することを防止できる。更には、高周波ノイズが発生しないため、防音材が不要となり、共振型昇降圧コンバータ１０の小型化やコスト低減を実現するとことができる。
【００２９】
又、スイッチング損失の大幅な低減により、スイッチング素子の発熱を防止できる。その結果、スイッチング素子の面積を小さくすることが可能となり、共振型昇降圧コンバータ１０の小型化やコスト低減を実現するとことができる。
【００３０】
又、スイッチング損失の大幅な低減により、昇圧時及び降圧時の効率が高くなるため、共振型昇降圧コンバータ１０を車両に搭載した場合の燃費を向上することができる。
【００３１】
共振型昇降圧コンバータ１０において、コンデンサＣ３の両端には例えば電圧源が接続され、コンデンサＣ４の両端には例えば負荷としてモータが接続される。この場合には、電圧源からコンデンサＣ３の両端に印加される電圧ＶＬを昇圧してモータの駆動電圧である電圧ＶＨを生成しモータを駆動する。又、モータによる回生エネルギーを降圧して電圧源を充電することもできる。
【００３２】
制御手段２０は、昇降圧制御部２１と、ゲート信号制御部２２と、異常検知部２３とを有する。トルク指令２５は、例えばハイブリッド自動車に搭載されたモータに対する要求トルクとして、外部ＥＣＵ（ハイブリッドＥＣＵ）等から受信する信号を示している。ＳＤＷＮ指令２６は、例えば車両状態に応じて共振型昇降圧コンバータ１０のシャットダウンが必要な場合に、外部ＥＣＵ（ハイブリッドＥＣＵ）等から受信する信号を示している。
【００３３】
電流センサ信号ＳＩＬは、所定の電流センサから入力される信号であり、リアクトルＬ１に流れる電流を示している。電圧センサ信号ＳＶＬは、所定の電圧センサから入力される信号であり、コンデンサＣ３の両端の電圧を示している。電圧センサ信号ＳＶＨは、所定の電圧センサから入力される信号であり、コンデンサＣ４の両端の電圧を示している。温度センサ信号ＳＴは、所定の温度センサから入力される信号であり、共振型昇降圧コンバータ１０の温度を示している。
【００３４】
昇降圧制御部２１は、トルク指令２５、電圧センサ信号ＳＶＬ、電圧センサ信号ＳＶＨに基づいて、スイッチング素子Ｑ１〜Ｑ４のゲートに供給する制御信号（ゲート信号Ｇ１〜Ｇ４）のデューティ指令値を演算し、演算したデューティ指令値をゲート信号制御部２２に出力する機能を有する。
【００３５】
ゲート信号制御部２２は、スイッチング素子Ｑ１〜Ｑ４のゲートに供給する制御信号（ゲート信号Ｇ１〜Ｇ４）を生成する機能等を有する。なお、ゲート信号制御部２２については、別途詳述する。
【００３６】
異常検知部２３は、電流センサ信号ＳＩＬ、電圧センサ信号ＳＶＬ、電圧センサ信号ＳＶＨ、温度センサ信号ＳＴに基づいて、共振型昇降圧コンバータ１０における過電流、過電圧、温度異常を検知し、検知結果として過電流検知フラグ、過電圧検知フラグ、温度異常検知フラグをゲート信号制御部２２に出力する機能を有する。なお、異常検知部２３は、必ずしも制御手段２０内に設ける必要はなく、例えば外付けのアナログ回路やカスタムＩＣ等によって実現しても構わない。
【００３７】
このように、制御手段２０は、共振型昇降圧コンバータ１０を制御する機能を有する。制御手段２０は、例えば図示しないＣＰＵ、ＲＯＭ、メインメモリなどを含み、制御手段２０の各種機能は、ＲＯＭ等に記録された制御プログラムがメインメモリに読み出されてＣＰＵにより実行されることによって実現される。ただし、制御手段２０の一部又は全部は、ハードウェアのみにより実現されてもよい。又、制御手段２０は、物理的に複数の装置により構成されてもよい。ただし、ゲート信号Ｇ１〜Ｇ４のステータスは数μｓのオーダーで切り替わるので、ゲート信号制御部２２は、高速処理に対応している必要がある。制御手段２０は、例えばＥＣＵ（Ｅｌｅｃｔｒｏｎｉｃ  Ｃｏｎｔｒｏｌ  Ｕｎｉｔ  ）内に設けることができる。
【００３８】
図２は、ゲート信号制御部の内部を例示するブロック図である。図３は、ゲート信号制御部が生成するゲート信号とステータスとの関係を例示する図である。図２及び図３を参照しながら、ゲート信号制御部２２について詳述する。図２を参照するに、ゲート信号制御部２２は、ゲート信号生成部２２ａと、ステータス判定部２２ｂと、回路異常判定部２２ｃと、外部ＳＤＷＮ許可判定部２２ｄと、ステータス異常判定部２２ｅとを有する。図３を参照するに、ゲート信号Ｇ１〜Ｇ４に対して、ステータスＳ１〜Ｓ７が定義されている。
【００３９】
ゲート信号生成部２２ａは、昇降圧制御部２１で演算されたデューティ指令値３１及びキャリアカウンタ３２から、スイッチング素子Ｑ１〜Ｑ４のゲートに供給する制御信号であるゲート信号Ｇ１〜Ｇ４を生成する機能を有する。ゲート信号生成部２２ａで生成されたゲート信号Ｇ１〜Ｇ４は、ステータス判定部２２ｂに入力される。ステータス判定部２２ｂは、現在のステータスが図３に示すステータスＳ１〜Ｓ７の何れであるかを判定し、ステータス判定結果を回路異常判定部２２ｃ、外部ＳＤＷＮ許可判定部２２ｄ、ステータス異常判定部２２ｅに出力する機能を有する。
【００４０】
回路異常判定部２２ｃは、異常検知部２３から入力される過電流検知フラグ３３、過電圧検知フラグ３４、温度異常検知フラグ３５の何れかが異常を示している場合に、ステータス判定部２２ｂから入力されるステータス判定結果がステータスＳ３、Ｓ４、Ｓ６、Ｓ７以外なら出力Ａをゼロに設定する。ステータス判定部２２ｂから入力されるステータス判定結果がステータスＳ３、Ｓ４、Ｓ６、Ｓ７の何れかなら、それ以外のステータス（Ｓ１、Ｓ２、Ｓ５）になるまで待ってから出力Ａをゼロに設定する。
【００４１】
外部ＳＤＷＮ許可判定部２２ｄは、ＳＤＷＮ指令２６が入力された場合に、ステータス判定部２２ｂから入力されるステータス判定結果がステータスＳ３、Ｓ４、Ｓ６、Ｓ７以外なら出力Ｂをゼロに設定する。ステータス判定部２２ｂから入力されるステータス判定結果がステータスＳ３、Ｓ４、Ｓ６、Ｓ７の何れかなら、それ以外のステータス（Ｓ１、Ｓ２、Ｓ５）になるまで待ってから出力Ｂをゼロに設定する。
【００４２】
ステータス異常判定部２２ｅは、ステータス判定部２２ｂから入力されるステータス判定結果がステータスＳ１〜Ｓ７以外である場合に、出力Ｃをゼロに設定する。又、ステータス異常判定部２２ｅは、図３に示す順序以外でステータスが遷移した場合に、ステータス判定部２２ｂから入力されるステータス判定結果がステータスＳ３、Ｓ４、Ｓ６、Ｓ７の何れかなら、それ以外のステータス（Ｓ１、Ｓ２、Ｓ５）になるまで待ってから出力Ｃをゼロに設定する。
【００４３】
ゲート信号生成部２２ａは、回路異常判定部２２ｃの出力Ａ、外部ＳＤＷＮ許可判定部２２ｄの出力Ｂ、ステータス異常判定部２２ｅの出力Ｃの何れかがゼロである場合に、ゲート信号Ｇ１〜Ｇ４の全てをオフにする（スイッチング素子Ｑ１〜Ｑ４の全てをオフにする）。すなわち、ゲート信号生成部２２ａは、共振型昇降圧コンバータ１０のスイッチング素子Ｑ１〜Ｑ４の全てを強制的にオフしなければならない場合に、ステータス判定結果がステータスＳ３、Ｓ４、Ｓ６、Ｓ７であれば、それ以外のステータス（Ｓ１、Ｓ２、Ｓ５）に遷移するまで待ってからゲート信号Ｇ１〜Ｇ４の全てをオフにする。
【００４４】
ステータス判定結果がステータスＳ３、Ｓ４、Ｓ６、Ｓ７であることは、スイッチング素子Ｑ３又はＱ４が動作中であることを意味する。ゲート信号生成部２２ａは、スイッチング素子Ｑ３又はＱ４が動作中であると判定された場合には、スイッチング素子Ｑ１〜Ｑ４の全てをオフにするゲート信号Ｇ１〜Ｇ４を生成せず、ステータスＳ３、Ｓ４、Ｓ６、Ｓ７以外のステータス（Ｓ１、Ｓ２、Ｓ５）に遷移するまで待ってからスイッチング素子Ｑ１〜Ｑ４の全てをオフにするゲート信号Ｇ１〜Ｇ４を生成することになる。
【００４５】
これは、ステータスＳ３及びＳ４では、スイッチング素子Ｑ４に共振電流が流れているため、この状態でスイッチング素子Ｑ４をオフすると、共振電流の流れる先が無くなり、スイッチング素子Ｑ４のコレクタ（スイッチング素子Ｑ３のエミッタ）に耐圧を超える高電圧が印加される場合があり、スイッチング素子Ｑ３及びＱ４が破壊に至る虞があるからである。同様に、ステータスＳ６及びＳ７では、スイッチング素子Ｑ３に共振電流が流れているため、この状態でスイッチング素子Ｑ３をオフすると、共振電流の流れる先が無くなり、スイッチング素子Ｑ３のエミッタ（スイッチング素子Ｑ４のコレクタ）に耐圧を超える高電圧が印加される場合があり、スイッチング素子Ｑ３及びＱ４が破壊に至る虞があるからである。
【００４６】
本実施の形態に係る共振型昇降圧コンバータ制御装置によれば、共振型昇降圧コンバータ１０の全てのスイッチング素子を強制的にオフしなければならない場合（外部ＥＣＵ等からシャットダウン指令を受信した場合や、温度異常等を検知してシャットダウンが必要な場合等）に、ステータス判定結果がステータスＳ３、Ｓ４、Ｓ６、Ｓ７であれば、それ以外のステータス（Ｓ１、Ｓ２、Ｓ５）に遷移するまで待ってからゲート信号Ｇ１〜Ｇ４の全てをオフにする。その結果、各スイッチング素子に耐圧を超える高電圧が印加されることがなくなるため、各スイッチング素子が破壊に至ることを防止できる。すなわち、各スイッチング素子を確実に保護することが可能な共振型昇降圧コンバータ制御装置を提供することができる。
【００４７】
又、各スイッチング素子に耐圧を超える高電圧が印加されることがないため、高耐圧の高価なスイッチング素子を選定する必要がなくなる。その結果、安価なスイッチング素子を選定することが可能となり、共振型昇降圧コンバータ制御装置のコストを低減することができる。
【００４８】
又、本実施の形態に係る共振型昇降圧コンバータ制御装置によれば、各スイッチング素子を確実に保護することが可能であるため、例えばハイブリッド車等の車両に搭載することができる。
【００４９】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００５０】
例えば、本実施の形態では、スイッチング素子Ｑ１、スイッチング素子Ｑ２、スイッチング素子Ｑ３及びスイッチング素子Ｑ４に絶縁ゲート型バイポーラ・トランジスタ（ＩＧＢＴ）を用いる例を示したが、スイッチング素子Ｑ１、スイッチング素子Ｑ２、スイッチング素子Ｑ３及びスイッチング素子Ｑ４には、絶縁ゲート型バイポーラ・トランジスタ（ＩＧＢＴ）以外のスイッチング素子を用いても構わない。スイッチング素子Ｑ１、スイッチング素子Ｑ２、スイッチング素子Ｑ３及びスイッチング素子Ｑ４としては、例えば電解効果トランジスタ（ＦＥＴ）、バイポーラ・トランジスタ等を用いても構わない。
【００５１】
又、ダイオードＤ１及びダイオードＤ２は、スイッチング素子Ｑ１及びスイッチング素子Ｑ２に内蔵されていても構わないし、外付けされていても構わない。
【符号の説明】
【００５２】
１  共振型昇降圧コンバータ制御装置
１０  共振型昇降圧コンバータ
２０  制御手段
２１  昇降圧制御部
２２  ゲート信号制御部
２２ａ  ゲート信号生成部
２２ｂ  ステータス判定部
２２ｃ  回路異常判定部
２２ｄ  外部ＳＤＷＮ許可判定部
２２ｅ  ステータス異常判定部
２３  異常検知部
２５  トルク指令
２６  ＳＤＷＮ指令
３１  デューティ指令値
３２  キャリアカウンタ
３３  過電流検知フラグ
３４  過電圧検知フラグ
３５  温度異常検知フラグ
Ｃ１，Ｃ２，Ｃ３，Ｃ４  コンデンサ
Ｄ１，Ｄ２，Ｄ３，Ｄ４  ダイオード
Ｇ１，Ｇ２，Ｇ３，Ｇ４  ゲート信号
Ｌ１，Ｌ２，Ｌｒ  リアクトル
Ｑ１，Ｑ２，Ｑ３，Ｑ４  スイッチング素子
Ｓ１，Ｓ２，Ｓ３，Ｓ４，Ｓ５，Ｓ６，Ｓ７  ステータス
ＳＩＬ  電流センサ信号
ＳＴ  温度センサ信号
ＳＶＬ，ＳＶＨ  電圧センサ信号
【図１】
2010161903.tif 000003
【図２】
2010161903.tif 000004
【図３】
2010161903.tif 000005